(57)【要約】  音質の向上を図る。  スピーカー装置は、筐体として機能するフレームと、音声の出力時に振動する振動板と、振動板を振動させる磁気回路と、フレームに取り付けられたスピーカーグリルとを備え、前記スピーカーグリルには環状に形成された枠状部と、枠状部の内側に位置され一部が枠状部に連続された桟部とを備え、桟部は非同心円形状に形成されると共に少なくとも一部が曲線状の曲線部として形成された。これにより、桟部に同心円形状の構成が存在しない状態で曲線部を有する構造が構成されるため、周波数特性において、特に、ディップが発生し難く、音声の良好な出力状態を確保することができる。
2018042901.tif 000002
【特許請求の範囲】
【請求項１】
環状に形成された枠状部と、
前記枠状部の内側に位置され一部が前記枠状部に連続された桟部とを備え、
前記桟部は非同心円形状に形成されると共に少なくとも一部が曲線状の曲線部として形成された
スピーカーグリル。
【請求項２】
前記枠状部が円環状に形成された
請求項１に記載のスピーカーグリル。
【請求項３】
前記桟部が前記枠状部の中心を基準にした点対称の形状に形成された
請求項２に記載のスピーカーグリル。
【請求項４】
前記桟部には同一形状に形成された複数の同一形状部が設けられ、
前記複数の同一形状部が前記枠状部の周方向において連続して形成された
請求項１に記載のスピーカーグリル。
【請求項５】
前記桟部が複数の前記曲線部のみによって構成された
請求項１に記載のスピーカーグリル。
【請求項６】
前記桟部には前記枠状部の中央部から前記枠状部に近付くに従って曲率が小さくなる曲線状の複数の曲率変化部が前記枠状部の周方向において離隔して設けられた
請求項１に記載のスピーカーグリル。
【請求項７】
前記桟部が前記複数の曲率変化部のみによって構成された
請求項６に記載のスピーカーグリル。
【請求項８】
前記桟部の太さが前記枠状部の太さより細くされた
請求項１に記載のスピーカーグリル。
【請求項９】
前記桟部の太さが一定にされた
請求項１に記載のスピーカーグリル。
【請求項１０】
前記枠状部の中央部に前記桟部の一部として環状部が設けられた
請求項１に記載のスピーカーグリル。
【請求項１１】
前記環状部が円環状に形成された
請求項１０に記載のスピーカーグリル。
【請求項１２】
ガラスフィラーが含有された樹脂材料によって形成された
請求項１に記載のスピーカーグリル。
【請求項１３】
前記桟部から前記枠状部の軸方向における一方に突出され振動板の振動を抑制する抑制突部が設けられた
請求項１に記載のスピーカーグリル。
【請求項１４】
前記曲線部がフィボナッチ数列を適用した曲線状に形成され、
複数の前記曲線部が前記枠状部の周方向において離隔して設けられた
請求項１に記載のスピーカーグリル。
【請求項１５】
筐体として機能するフレームと、
音声の出力時に振動する振動板と、
前記振動板を振動させる磁気回路と、
前記フレームに取り付けられたスピーカーグリルとを備え、
前記スピーカーグリルには環状に形成された枠状部と前記枠状部の内側に位置され一部が前記枠状部に連続された桟部とが設けられ、
前記桟部は非同心円形状に形成されると共に少なくとも一部が曲線状の曲線部として形成された
スピーカー装置。
【発明の詳細な説明】
【技術分野】
【０００１】
本技術は、環状に形成された枠状部と枠状部の内側に位置された桟部とを有するスピーカーグリル及びこれを備えたスピーカー装置についての技術分野に関する。
【背景技術】
【０００２】
アンプによって増幅された音声を出力するスピーカー装置があり、スピーカー装置は、一般に、筐体として機能するフレームと音声の出力時に振動する振動板と振動板を振動させる磁気回路とフレームに取り付けられたスピーカーグリルとを備え、振動板の振動に伴って出力される音声がスピーカーグリルを介して外部に出力される。【０００３】
スピーカー装置にスピーカーグリルが設けられることにより、スピーカー装置の内部構造への指の接触等が防止され、内部構造が保護される。【０００４】
スピーカー装置において用いられるスピーカーグリルには、各種の形状が存在し、例えば、同心円状の形状を有する構造に形成されたものがある（例えば、特許文献１参照）。【０００５】
特許文献１に記載されたスピーカーグリルは、径の異なる円環状の複数の部分によって形成された同心円状の構造を有し、円環状の複数の部分が放射方向に延びる直線状の部分によって連結されて構成され、隣り合う円環状の部分のピッチが異なるようにされている。
【先行技術文献】
【特許文献】
【０００６】
【特許文献１】特開２００２−３０５７８４号公報
【発明の概要】
【発明が解決しようとする課題】
【０００７】
ところで、上記のようなスピーカーグリルを有するスピーカー装置においては、音声の出力がスピーカーグリルに形成された開口を通って行われるため、スピーカーグリルによって音声の干渉や遮断が生じることがある。このようなスピーカーグリルによる音声の干渉や遮断が生じると、周波数特性においてピークやディップが発生するおそれがあり、スピーカーグリルが同心円状の構造を有する場合には、特に、ディップが発生して音質の低下を来たすおそれがある。【０００８】
そこで、本技術スピーカーグリル及びスピーカー装置は、上記した問題点を克服し、音質の向上を図ることを目的とする。
【課題を解決するための手段】
【０００９】
第１に、本技術に係るスピーカーグリルは、環状に形成された枠状部と、前記枠状部の内側に位置され一部が前記枠状部に連続された桟部とを備え、前記桟部は非同心円形状に形成されると共に少なくとも一部が曲線状の曲線部として形成されたものである。【００１０】
これにより、桟部に同心円形状の構成が存在しない状態で曲線部を有する構造が構成される。【００１１】
第２に、上記したスピーカーグリルにおいては、前記枠状部が円環状に形成されることが望ましい。【００１２】
これにより、枠状部が簡素な形状になる。【００１３】
第３に、上記したスピーカーグリルにおいては、前記桟部が前記枠状部の中心を基準にした点対称の形状に形成されることが望ましい。【００１４】
これにより、桟部の内側の空間である開口が枠状部の中心を基準にした点対称の形状に形成される。【００１５】
第４に、上記したスピーカーグリルにおいては、前記桟部には同一形状に形成された複数の同一形状部が設けられ、前記複数の同一形状部が前記枠状部の周方向において連続して形成されることが望ましい。【００１６】
これにより、周方向において隣り合う同一形状部の開口の合計面積が同じにされる。【００１７】
第５に、上記したスピーカーグリルにおいては、前記桟部が複数の前記曲線部のみによって構成されることが望ましい。【００１８】
これにより、桟部に角張った部分が存在せず応力集中が生じ難い。【００１９】
第６に、上記したスピーカーグリルにおいては、前記桟部には前記枠状部の中央部から前記枠状部に近付くに従って曲率が小さくなる曲線状の複数の曲率変化部が前記枠状部の周方向において離隔して設けられることが望ましい。【００２０】
これにより、複数の曲率変化部によって桟部に渦巻き状の構造を構成することが可能になる。【００２１】
第７に、上記したスピーカーグリルにおいては、前記桟部が前記複数の曲率変化部のみによって構成されることが望ましい。【００２２】
これにより、複数の曲率変化部によって桟部に渦巻き状の構造のみを構成することが可能になる。【００２３】
第８に、上記したスピーカーグリルにおいては、前記桟部の太さが前記枠状部の太さより細くされることが望ましい。【００２４】
これにより、桟部の内側の空間である開口が大きくなる。【００２５】
第９に、上記したスピーカーグリルにおいては、前記桟部の太さが一定にされることが望ましい。【００２６】
これにより、桟部の強度が部位によって異ならないと共に桟部の内側の空間である開口の合計の開口面積を一定以上にすることが可能である。【００２７】
第１０に、上記したスピーカーグリルにおいては、前記枠状部の中央部に前記桟部の一部として環状部が設けられることが望ましい。【００２８】
これにより、枠状部の中央部に一定の大きさの開口が形成される。【００２９】
第１１に、上記したスピーカーグリルにおいては、前記環状部が円環状に形成されることが望ましい。【００３０】
これにより、枠状部の中央部に一定の大きさの開口が形成されると共に円環状の部分が存在する。【００３１】
第１２に、上記したスピーカーグリルにおいては、ガラスフィラーが含有される樹脂材料によって形成されることが望ましい。【００３２】
これにより、ガラスフィラーによって材料の強度が高くなる。【００３３】
第１３に、上記したスピーカーグリルにおいては、前記桟部から前記枠状部の軸方向における一方に突出され振動板の振動を抑制する抑制突部が設けられることが望ましい。【００３４】
これにより、振動板が振動したときに抑制突部によって振動板の過度の振動が防止される。【００３５】
第１４に、上記したスピーカーグリルにおいては、前記曲線部がフィボナッチ数列を適用した曲線状に形成され、複数の前記曲線部が前記枠状部の周方向において離隔して設けられることが望ましい。【００３６】
これにより、第１の曲線部と第２の曲線部によって桟部に渦巻き状の構造を構成することが可能になると共に第１の曲線部と第２の曲線部の形状の設計が容易になる。【００３７】
第１５に、本技術に係るスピーカー装置は、筐体として機能するフレームと、音声の出力時に振動する振動板と、前記振動板を振動させる磁気回路と、前記フレームに取り付けられたスピーカーグリルとを備え、前記スピーカーグリルには環状に形成された枠状部と前記枠状部の内側に位置され一部が前記枠状部に連続された桟部とが設けられ、前記桟部は非同心円形状に形成されると共に少なくとも一部が曲線状の曲線部として形成されたものである。【００３８】
これにより、スピーカーグリルにおける桟部に同心円形状の構成が存在しない状態で曲線部を有する構造が構成される。
【発明の効果】
【００３９】
本技術によれば、桟部に同心円形状の構成が存在しない状態で曲線部を有する構造が構成されるため、周波数特性において、特に、ディップが発生し難く、音声の良好な出力状態を確保することができる。【００４０】
尚、本明細書に記載された効果はあくまでも例示であって限定されるものではなく、他の効果があってもよい。
【図面の簡単な説明】
【００４１】
【図１】図２乃至図４５と共に本技術スピーカーグリル及びスピーカー装置の実施の形態を示すものであり、本図は、スピーカー装置の断面図である。
【図２】スピーカーグリルの斜視図である。
【図３】スピーカーグリルの正面図である。
【図４】スピーカーグリルの同一形状部を示す正面図である。
【図５】スピーカーグリルの背面図である。
【図６】スピーカーグリルの平面図である。
【図７】スピーカーグリルの底面図である。
【図８】スピーカーグリルの右側面図である。
【図９】スピーカーグリルの左側面図である。
【図１０】音圧に関する測定結果を示すグラフ図である。
【図１１】第１の変形例に係るスピーカーグリルの斜視図である。
【図１２】第１の変形例に係るスピーカーグリルの正面図である。
【図１３】第１の変形例に係るスピーカーグリルの同一形状部を示す正面図である。
【図１４】第１の変形例に係るスピーカーグリルの背面図である。
【図１５】第１の変形例に係るスピーカーグリルの平面図である。
【図１６】第１の変形例に係るスピーカーグリルの底面図である。
【図１７】第１の変形例に係るスピーカーグリルの右側面図である。
【図１８】第１の変形例に係るスピーカーグリルの左側面図である。
【図１９】第２の変形例に係るスピーカーグリルの斜視図である。
【図２０】第２の変形例に係るスピーカーグリルの正面図である。
【図２１】第２の変形例に係るスピーカーグリルの同一形状部を示す正面図である。
【図２２】第２の変形例に係るスピーカーグリルの背面図である。
【図２３】第２の変形例に係るスピーカーグリルの平面図である。
【図２４】第２の変形例に係るスピーカーグリルの底面図である。
【図２５】第２の変形例に係るスピーカーグリルの右側面図である。
【図２６】第２の変形例に係るスピーカーグリルの左側面図である。
【図２７】第３の変形例に係るスピーカーグリルの斜視図である。
【図２８】第３の変形例に係るスピーカーグリルの正面図である。
【図２９】第３の変形例に係るスピーカーグリルの同一形状部を示す正面図である。
【図３０】第３の変形例に係るスピーカーグリルの背面図である。
【図３１】第３の変形例に係るスピーカーグリルの平面図である。
【図３２】第３の変形例に係るスピーカーグリルの底面図である。
【図３３】第３の変形例に係るスピーカーグリルの右側面図である。
【図３４】第３の変形例に係るスピーカーグリルの左側面図である。
【図３５】第４の変形例に係るスピーカーグリルの正面図である。
【図３６】第４の変形例に係るスピーカーグリルの同一形状部を示す正面図である。
【図３７】第５の変形例に係るスピーカーグリルの正面図である。
【図３８】第５の変形例に係るスピーカーグリルの同一形状部を示す正面図である。
【図３９】第６の変形例に係るスピーカーグリルの正面図である。
【図４０】第６の変形例に係るスピーカーグリルの同一形状部を示す正面図である。
【図４１】第７の変形例に係るスピーカーグリルの正面図である。
【図４２】第７の変形例に係るスピーカーグリルの同一形状部を示す正面図である。
【図４３】図４４及び図４５と共に本技術に係るスピーカーグリルをヘッドホンにおいて用いた例を示すものであり、本図は、ヘッドホンの斜視図である。
【図４４】ヘッドホンの正面図である。
【図４５】ヘッドホンのスピーカーグリルが配置された部分を示す側面図である。
【発明を実施するための形態】
【００４２】
以下に、本技術スピーカーグリル及びスピーカー装置を実施するための形態を添付図面に従って説明する。
【００４３】
尚、スピーカー装置には筐体として機能するフレームとフレームに取り付けられたスピーカーグリルとが設けられ、以下にはスピーカーグリルが位置する側を前方としフレームが位置する側を後方として上下前後左右の方向を示す。但し、以下に示す上下前後左右の方向は、説明の便宜上示すものであり、本技術はこれらの方向に限定して適用されることはない。
【００４４】
＜スピーカー装置の構成等＞
先ず、スピーカー装置の構成について説明する（図１参照）。
【００４５】
スピーカー装置１はフレーム２と磁気回路３とボビン４と振動板５とスピーカーグリル６を有している。
【００４６】
フレーム２は筐体として機能し、例えば、金属材料やガラスフィラーが含有された樹脂材料等の剛性の高い材料によって全体として略円環状に形成されている。フレーム２は外周部がグリル取付部２ａとして設けられ、内周部がヨーク取付部２ｂとして設けられている。
【００４７】
磁気回路３はヨーク７とマグネット８とプレート９とコイル１０を有している。
【００４８】
ヨーク７は円環状のベース部７ａとベース部７ａの外周部から前方に突出された円筒状の周面部７ｂとを有している。ヨーク７は前端部がフレーム２のヨーク取付部２ｂに取り付けられている。
【００４９】
マグネット８は円環状に形成され、ヨーク７におけるベース部７ａの前面に取り付けられている。
【００５０】
プレート９は金属等の磁性材料によって円環状に形成され、マグネット８の前面に取り付けられている。プレート９はヨーク７における周面部７ｂの内周側に位置されている。
【００５１】
コイル１０はボビン４の外周面に巻き付けられている。ボビン４は円筒状に形成され、一部がヨーク７における周面部７ｂとプレート９の間に挿入され、周面部７ｂとプレート９の間にコイル１０が位置されている。
【００５２】
振動板５は前方に凸の曲面状に形成されたドーム部５ａとドーム部５ａの外周に連続されたエッジ部５ｂとを有している。振動板５のドーム部５ａとエッジ部５ｂの連続部分にはボビン４の前端部が結合されている。振動板５はエッジ部５ｂの外周部がフレーム２の外周部に取り付けられている。
【００５３】
スピーカーグリル６は外形状が略円形状に形成され、外周部がフレーム２のグリル取付部２ａに取り付けられている。従って、振動板５におけるエッジ部５ｂの外周部はフレーム２とスピーカーグリル６に挟持された状態でグリル取付部２ａに取り付けられている。
【００５４】
スピーカーグリル６は、例えば、ガラスフィラーが含有された樹脂材料によって形成されている。スピーカーグリル６は枠状部１１と桟部１２を有している（図２乃至図９参照）。
【００５５】
枠状部１１は環状、例えば、円環状に形成されている。尚、枠状部１１はフレーム２の外形状に応じた形状の環状に形成されていればよく、楕円形や長円形や矩形等の円環状以外の形状に形成されていてもよい。
【００５６】
桟部１２は非同心円形状に形成され、枠状部１１の中心部に設けられた環状部１３と、環状部１３と枠状部１１を連結する第１の曲線部１４、１４、・・・と、第１の曲線部１４、１４、・・・と枠状部１１を連結する第２の曲線部１５、１５、・・・とを有している。桟部１２は枠状部１１から枠状部１１の中央部に近付くに従って前方に緩やかに変位し、全体として前方に凸の形状に形成されている。スピーカーグリル６は、例えば、九つの第１の曲線部１４、１４、・・・と九つの第２の曲線部１５、１５、・・・とを有している。
【００５７】
環状部１３は、例えば、円環状に形成されている。環状部１３の内側の空間は開口１３ａとして形成されている。
【００５８】
第１の曲線部１４、１４、・・・は周方向に、例えば、等間隔に離隔して設けられている。第１の曲線部１４は一端部１４ａが環状部１３に連続され他端部１４ｂが枠状部１１に連続されている。第１の曲線部１４は、例えば、フィボナッチ数列を適用した曲線状に形成されている。従って、第１の曲線部１４は環状部１３から枠状部１１に近付くに従って曲率が小さくなる曲線状の曲率変化部として設けられている。第１の曲線部１４、１４、・・・は正面形状においてそれぞれ反時計回り方向側に凸の曲線状に形成され、全体として渦巻き状に形成されている。
【００５９】
第２の曲線部１５、１５、・・・は周方向に、例えば、等間隔に離隔して設けられている。第２の曲線部１５は一端部１５ａが第１の曲線部１４に連続され他端部１５ｂが枠状部１１に連続されている。第２の曲線部１５も、例えば、フィボナッチ数列を適用した曲線状に形成されている。従って、第２の曲線部１５は第１の曲線部１４から枠状部１１に近付くに従って曲率が小さくなる曲線状の曲率変化部として設けられている。第２の曲線部１５、１５、・・・は正面形状においてそれぞれ時計回り方向側に凸の曲線状に形成され、全体として渦巻き状に形成されている。
【００６０】
但し、枠状部１１の中央部においてフィボナッチ数列を適用すると第１の曲線部１４、１４、・・・と第２の曲線部１５、１５、・・・が密集して開口が形成されなくなってしまい、枠状部１１の中央部からの音声の出力が行われなくなり音声の出力に関する良好な周波数特性が確保されなくなる可能性がある。
【００６１】
そこで、スピーカーグリル６にあっては、上記したように、枠状部１１の中央部に内側の空間が開口１３ａとされた環状部１３が形成され、音声の出力に関する良好な周波数特性が確保されている。
【００６２】
桟部１２は上記のような形状に形成されており、隣り合う第１の曲線部１４、１４とこの第１の曲線部１４、１４の間に位置された四つの第２の曲線部１５、１５、・・・の各一部とによって同一形状部１６が構成され、同一形状部１６、１６、・・・が周方向において連続して形成されている。
【００６３】
枠状部１１の内側において桟部１２の各部又は桟部１２の各部と枠状部１１の各部とによって囲まれた各空間は、音声が出力される開口１７、１７、・・・として形成されている。
【００６４】
桟部１２は環状部１３と第１の曲線部１４、１４、・・・と第２の曲線部１５、１５、・・・の太さが、例えば、一定にされ、枠状部１１の太さより細くされている。
【００６５】
スピーカーグリル６には桟部１２の各部から後方に突出された抑制突部１８、１８、・・・が周方向に離隔して設けられている。抑制突部１８は第１の曲線部１４と第２の曲線部１５が連続された部分から後方に突出されて設けられている。抑制突部１８、１８、・・・は、スピーカーグリル６がフレーム２に取り付けられた状態において、振動板５のドーム部５ａとエッジ部５ｂの連続部分の直ぐ前側に位置されている。
【００６６】
＜音声に関する測定結果＞
以下に、スピーカー装置１等から出力される音声に関する測定結果について説明する（図１０参照）。
【００６７】
図１０に示すグラフ図は、スピーカー装置１と同心円状の構造を有するスピーカーグリルが設けられた従来のスピーカー装置Ｘとスピーカーグリルが設けられていないスピーカー装置とについて周波数特性の測定結果を示すグラフ図である。横軸は周波数（ＫＨｚ）であり、縦軸は音圧（ｄｂ  ＳＰＬ）である。
【００６８】
図１０に示すように、同心円状の構造を有するスピーカーグリルが設けられた従来のスピーカー装置Ｘにおいては２０ＫＨｚ以上のハイレゾリューション領域でピークやディップ、特に、大きなディップが生じたが、スピーカー装置１においては目立ったピークやディップが生じなかった。また、スピーカーグリルが設けられていないスピーカー装置においてはピークやディップが生じておらず、音声の干渉や遮断が生じないことが示されている。
【００６９】
このように桟部１２が非同心円形状に形成されたスピーカー装置１においては、目立ったピークやディップが生じず、良好な音質が確保されている結果が得られた。
【００７０】
＜スピーカーグリルの変形例＞
以下に、スピーカーグリル６の各変形例について説明する（図１１乃至図４２参照）。
【００７１】
上記には、九つの第１の曲線部１４、１４、・・・と九つの第２の曲線部１５、１５、・・・を有するスピーカーグリル６の例を示したが、スピーカー装置１には、以下のように第１の曲線部１４、１４、・・・と第２の曲線部１５、１５、・・・の数が相違する第１の変形例に係るスピーカーグリル６Ａ、第２の変形例に係るスピーカーグリル６Ｂ又は第３の変形例に係るスピーカーグリル６Ｃが設けられていてもよい（図１１乃至図３４参照）。
【００７２】
スピーカーグリル６Ａは、例えば、枠状部１１の外径がスピーカーグリル６における枠状部１１の外径より小さくされ、七つの第１の曲線部１４、１４、・・・と七つの第２の曲線部１５、１５、・・・とを有している（図１１乃至図１８参照）。スピーカーグリル６Ａにおいては第１の曲線部１４、１４とこの第１の曲線部１４、１４の間に位置された三つの第２の曲線部１５、１５、・・・の各一部とによって同一形状部１６が構成され、同一形状部１６、１６、・・・が周方向において連続して形成されている。
【００７３】
スピーカーグリル６Ｂは、例えば、枠状部１１の外径がスピーカーグリル６Ａにおける枠状部１１の外径より小さくされ、六つの第１の曲線部１４、１４、・・・と六つの第２の曲線部１５、１５、・・・とを有している（図１９乃至図２６参照）。スピーカーグリル６Ｂにおいては第１の曲線部１４、１４とこの第１の曲線部１４、１４の間に位置された三つの第２の曲線部１５、１５、１５の各一部とによって同一形状部１６が構成され、同一形状部１６、１６、・・・が周方向において連続して形成されている。
【００７４】
スピーカーグリル６Ｃは、例えば、枠状部１１の外径がスピーカーグリル６Ｂにおける枠状部１１の外径より小さくされ、五つの第１の曲線部１４、１４、・・・と五つの第２の曲線部１５、１５、・・・とを有している（図２７乃至図３４参照）。スピーカーグリル６Ｃにおいては第１の曲線部１４、１４とこの第１の曲線部１４、１４の間に位置された二つの第２の曲線部１５、１５の各一部とによって同一形状部１６が構成され、同一形状部１６、１６、・・・が周方向において連続して形成されている。
【００７５】
また、スピーカー装置１には、スピーカーグリル６、スピーカーグリル６Ａ、スピーカーグリル６Ｂ又はスピーカーグリル６Ｃに代えて桟部の構成が相違する以下の第４の変形例に係るスピーカーグリル６Ｄ、第５の変形例に係るスピーカーグリル６Ｅ、第６の変形例に係るスピーカーグリル６Ｆ又は第７の変形例に係るスピーカーグリル６Ｇが設けられていてもよい（図３５乃至図４２参照）。
【００７６】
スピーカーグリル６Ｄは桟部１２に長さが異なる２種類の第１の曲線部１４、１４、・・・が周方向において交互に設けられ、隣り合う第１の曲線部１４、１４は一方が他方より長さが稍短くされている（図３５参照）。スピーカーグリル６Ｄは第１の曲線部１４、１４、・・・と第２の曲線部１５、１５、・・・の数がスピーカーグリル６より多くされている。スピーカーグリル６Ｄにおいては三つの第１の曲線部１４、１４、１４とこの第１の曲線部１４、１４、１４の間に位置された複数の第２の曲線部１５、１５、・・・の各一部とによって同一形状部１６が構成され（図３６参照）、同一形状部１６、１６、・・・が周方向において連続して形成されている。
【００７７】
スピーカーグリル６Ｅは桟部１２に長さが異なる２種類の第１の曲線部１４、１４、・・・が周方向において交互に設けられ、隣り合う第１の曲線部１４、１４は一方が他方より長さが約半分にされている（図３７参照）。スピーカーグリル６Ｅは第１の曲線部１４、１４、・・・と第２の曲線部１５、１５、・・・の数がスピーカーグリル６より多くされている。スピーカーグリル６Ｅにおいては三つの第１の曲線部１４、１４、１４とこの第１の曲線部１４、１４、１４の間に位置された複数の第２の曲線部１５、１５、・・・の各一部とによって同一形状部１６が構成され（図３８参照）、同一形状部１６、１６、・・・が周方向において連続して形成されている。
【００７８】
スピーカーグリル６Ｆは桟部１２が、環状部１３と第２の曲線部１５、１５、・・・を連結する第１の曲線部１４、１４、・・・と、第１の曲線部１４、１４、・・・と枠状部１１を連結する第２の曲線部１５、１５、・・・とを有している（図３９参照）。スピーカーグリル６Ｆは、例えば、九つの第１の曲線部１４、１４、・・・と九つの第２の曲線部１５、１５、・・・とを有している。
【００７９】
第１の曲線部１４は環状部１３から第２の曲線部１５へ行くに従って幅が広くなる形状に形成されている。第１の曲線部１４は外側の端部が第２の曲線部１５における枠状部１１側の端部寄りの部分に連結されている。
【００８０】
第２の曲線部１５は外側の半部が二股状に形成され、二股状の両方の部分が枠状部１１に連結されている。第１の曲線部１４の外側の端部は第２の曲線部１５における二股状の一方の部分に連結されている。
【００８１】
スピーカーグリル６Ｆにおいては、隣り合う二つの第１の曲線部１４、１４と、この第１の曲線部１４、１４の間に位置された二つの第２の曲線部１５、１５の各一部と、第１の曲線部１４と枠状部１１の間に位置された二股状の部分を含む二つの第２の曲線部１５、１５の各一部とによって同一形状部１６が構成され（図４０参照）、同一形状部１６、１６、・・・が周方向において連続して形成されている。
【００８２】
スピーカーグリル６Ｇは桟部１２に長さが異なる３種類の第１の曲線部１４、１４、・・・が周方向において繰り返し設けられ、長さが最も長い第１の曲線部１４、１４、・・・が枠状部１１の中心部において結合されている（図４１参照）。従って、スピーカーグリル６Ｇには環状部１３が設けられていない。長さが中間の第１の曲線部１４、１４、・・・は一端部が枠状部１１の中央よりの位置においてそれぞれ第２の曲線部１５、１５、・・・に結合され、長さが最も短い第１の曲線部１４、１４、・・・は二つずつの一端部が枠状部１１の中央よりの位置において結合されている。
【００８３】
第２の曲線部１５、１５、・・・は第１の曲線部１４、１４、・・・を反転した形状に形成され、長さが最も長い第２の曲線部１５、１５、・・・が枠状部１１の中心部において結合されている。従って、長さが最も長い第１の曲線部１４、１４、・・・と長さが最も長い第２の曲線部１５、１５、・・・が枠状部１１の中心部において結合されている。
【００８４】
スピーカーグリル６Ｇにおいては隣り合う四つの第１の曲線部１４、１４、・・・とこの第１の曲線部１４、１４、・・・の間に位置された複数の第２の曲線部１５、１５、・・・の各一部とによって同一形状部１６が構成され（図４２参照）、同一形状部１６、１６、・・・が周方向において連続して形成されている。
【００８５】
尚、上記したスピーカーグリル６Ａ、６Ｂ、６Ｃ、６Ｄ、６Ｅ、６Ｆ、６Ｇにおいては、図示はしていないが、桟部１２の各部から後方に突出された抑制突部１８、１８、・・・が周方向に離隔して設けられている。但し、スピーカーグリル６Ａ、６Ｂ、６Ｃ、６Ｄ、６Ｅ、６Ｆ、６Ｇにおいて、抑制突部１８、１８、・・・が設けられていなくてもよい。
【００８６】
＜まとめ＞
以上に記載した通り、スピーカー装置１にあっては、スピーカーグリル６、６Ａ、６Ｂ、６Ｃ、６Ｄ、６Ｅ、６Ｆ、６Ｇ（以下、「スピーカーグリル６乃至スピーカーグリル６Ｇ」とする。）が環状に形成された枠状部１１と、枠状部１１の内側に位置され一部が枠状部１１に連続された桟部１２とを備え、桟部１２は非同心円形状に形成されると共に少なくとも一部が曲線状に形成されている。
【００８７】
従って、桟部１２に同心円形状の構成が存在しない状態で曲線部を有する構造が構成されるため、周波数特性において、特に、ディップが発生し難く、音声の良好な出力状態を確保することができる。
【００８８】
また、枠状部１１が円環状に形成されることにより、枠状部１１が簡素な形状であるため、スピーカーグリル６乃至スピーカーグリル６Ｇを容易に成形することができる。また、枠状部１１が円環状に形成されることにより、出力される音声の指向性が低減されるため、音声の良好な出力状態を確保することができる。
【００８９】
さらに、スピーカーグリル６乃至スピーカーグリル６Ｇは桟部１２が枠状部１１の中心を基準にした点対称の形状に形成されているため、開口１７、１７、・・・が枠状部１１の中心を基準にした点対称の形状に形成され、出力される音声の指向性が低減され、音声の良好な出力状態を確保することができる。
【００９０】
さらにまた、スピーカーグリル６乃至スピーカーグリル６Ｇの桟部１２は複数の同一形状部１６、１６、・・・が周方向において連続して形成されているため、周方向において隣り合う同一形状部１６、１６の開口１７、１７、・・・の合計面積が同じにされ、出力される音声の指向性が低減され、音声の良好な出力状態を確保することができる。
【００９１】
また、スピーカーグリル６乃至スピーカーグリル６Ｇは桟部１２が曲線部のみによって構成されているため、桟部１２に角張った部分が存在せず応力集中が生じ難く、高い剛性を確保した上で音質の向上を図ることができる。
【００９２】
さらに、スピーカーグリル６乃至スピーカーグリル６Ｇの桟部１２には枠状部１１の中央部から枠状部１１に近付くに従って曲率が小さくなる曲率変化部として設けられた第１の曲線部１４、１４、・・・と第２の曲線部１５、１５、・・・が周方向において離隔して設けられている。
【００９３】
従って、複数の曲率変化部によって桟部１２に渦巻き状の構造を構成することが可能になり、高い剛性及び良好なデザイン性を確保した上で音質の向上を図ることができる。
【００９４】
尚、スピーカーグリル６乃至スピーカーグリル６Ｇにおいて桟部１２は複数の曲率変化部のみによって構成されていてもよい。桟部１２が複数の曲率変化部のみによって構成されることにより、複数の曲率変化部によって桟部１２に渦巻き状の構造のみを構成することが可能になり、高い剛性及び一層良好なデザイン性を確保した上で音質の向上を図ることができる。
【００９５】
また、スピーカーグリル６乃至スピーカーグリル６Ｇにおいては、桟部１２の太さが枠状部１１の太さより細くされているため、開口１７、１７、・・・が大きくなり、音声の良好な出力状態を確保することができる。特に、超高音質のハイレゾリューションの周波数帯域（約２０ＫＨｚ以上）における音声の良好な出力状態を確保することが可能とされている。
【００９６】
さらに、スピーカーグリル６Ｆを除いてスピーカーグリル６乃至スピーカーグリル６Ｇは桟部１２の太さが一定にされていることにより、桟部１２の強度が部位によって異ならないと共に開口１７、１７、・・・の合計の開口面積を一定以上にすることが可能であるため、スピーカーグリル６、６Ａ、６Ｂ、６Ｃ、６Ｄ、６Ｅ、６Ｇの一定以上の強度を確保することができると共に音声の良好な出力状態を確保することができる。
【００９７】
尚、スピーカーグリル６Ｆは桟部１２の第１の曲線部１４、１４、・・・の太さ（幅）が外側へ行くに従って太くされていることにより、桟部１２の強度が高く、強度の向上を確保することができると共に音声の良好な出力状態を確保することができる。
【００９８】
さらにまた、スピーカーグリル６、６Ａ、６Ｂ、６Ｃ、６Ｄ、６Ｅ、６Ｆは枠状部１１の中央部に桟部１２の一部として環状部１３が設けられているため、枠状部１１の中央部に一定の大きさの開口１３ａが形成され、音声の良好な出力状態を確保することができる。
【００９９】
また、環状部１３が円環状に形成されているため、枠状部１１の中央部に一定の大きさの開口１３ａが形成されると共に円環状の部分が存在するため、音声の良好な出力状態を確保することができると共に円環状が応力集中の生じない形状であり高い強度を確保することができる。
【０１００】
さらに、スピーカーグリル６乃至スピーカーグリル６Ｇはガラスフィラーが含有された樹脂材料によって形成されているため、ガラスフィラーによって材料の強度が高くなり、高い強度を確保することができる。
【０１０１】
尚、スピーカーグリル６、６Ａ、６Ｂ、６Ｃ、６Ｄ、６Ｅ、６Ｆにあっては、上記したように、第１の曲線部１４は一端部１４ａが環状部１３に連続されているが、第２の曲線部１５は一端部１５ａが第１の曲線部１４に連続された状態に構成されている。このように第２の曲線部１５の一端部１５ａが環状部１３に連続されず第１の曲線部１４に連続される構成にすることにより、環状部１３の周囲の領域における開口１７、１７、・・・の面積が大きくされており、高い開口率の確保による音声の出力に関する良好な周波数特性を確保することができる。
【０１０２】
また、スピーカーグリル６、６Ａ、６Ｂ、６Ｃ、６Ｄ、６Ｅ、６Ｆにおいては、環状部１３の内側の空間の開口１３ａの開口面積と、第１の曲線部１４、１４、・・・と第２の曲線部１５、１５、・・・によって形成された開口１７、１７、・・・の各開口面積とに大きな差がないようにされ、スピーカーグリル６、６Ａ、６Ｂ、６Ｃ、６Ｄ、６Ｅ、６Ｆの全体に亘って部分的に開口面積の差が生じないように構成されている。従って、出力される音声の指向性が低減され、音声の良好な出力状態を確保することができる。
【０１０３】
さらに、スピーカーグリル６乃至スピーカーグリル６Ｇにおいては、開口１３ａと開口１７は指や軸状の構造物、例えば、筆記具等が誤って接触されたときに、これらの先端が振動板５に達しない程度の開口面積にされており、振動板５が桟部１２によって保護されるように構成されている。
【０１０４】
さらにまた、スピーカーグリル６乃至スピーカーグリル６Ｇには抑制突部１８、１８、・・・が設けられているため、振動板５が振動したときに抑制突部１８、１８、・・・によって振動板５の過度の振動が防止され、音質の向上を図ることができる。また、抑制突部１８、１８、・・・が設けられることにより、抑制突部１８、１８、・・・が補強リブとしても機能し、スピーカーグリル６乃至スピーカーグリル６Ｇの剛性の向上を図ることもできる。
【０１０５】
加えて、スピーカーグリル６乃至スピーカーグリル６Ｇは第１の曲線部１４、１４、・・・と第２の曲線部１５、１５、・・・がフィボナッチ数列を適用した曲線状に形成され、第１の曲線部１４、１４、・・・と第２の曲線部１５、１５、・・・がそれぞれ周方向において離隔して設けられている。
【０１０６】
従って、第１の曲線部１４、１４、・・・と第２の曲線部１５、１５、・・・によって桟部１２に渦巻き状の構造を構成することが可能になると共に第１の曲線部１４、１４、・・・と第２の曲線部１５、１５、・・・の形状の設計が容易であり、高い剛性、良好なデザイン性及び設計の容易化を図った上で音質の向上を図ることができる。
【０１０７】
尚、スピーカーグリル６乃至スピーカーグリル６Ｇは、上記したように、桟部１２が枠状部１１から枠状部１１の中央部に近付くに従って前方に緩やかに変位し、全体として前方に凸の形状に形成され、また、第１の曲線部１４と第２の曲線部１５は上下左右の幅に対して前後の幅が大きくされている。従って、スピーカーグリル６乃至スピーカーグリル６Ｇの強度の向上が図られている。
【０１０８】
＜ヘッドホンへの適用例＞
以下に、スピーカーグリル６がヘッドホンにおいて用いられた例について説明する（図４３乃至図４５参照）。
【０１０９】
尚、以下にはスピーカーグリル６が用いられた例を示すが、スピーカーグリル６に代えてスピーカーグリル６Ａ、６Ｂ、６Ｃ、６Ｄ、６Ｅ、６Ｆ、６Ｇの何れが用いられてもよい。
【０１１０】
ヘッドホン２０はヘッドバンド２１とハンガー２２、２２とハウジング２３、２３を有している。
【０１１１】
ヘッドバンド２１は湾曲された形状に形成され、長手方向における両端部が離接する方向に弾性変形可能とされている。ヘッドバンド２１には、その長さを調整するためのスライド機構が設けられていてもよい。
【０１１２】
ハンガー２２、２２はそれぞれヘッドバンド２１の長手方向における両端部に連結されている。ハンガー２２、２２にはそれぞれコード接続部２２ａ、２２ａが設けられ、コード接続部２２ａ、２２ａにはそれぞれ図示しないケーブルが接続される。
【０１１３】
ハウジング２３、２３はそれぞれハンガー２２、２２に連結され、ハンガー２２、２２に対して回動可能とされている。ハウジング２３、２３の内部にはそれぞれスピーカー装置（スピーカーユニット）が配置されている。ハウジング２３、２３の内部に配置されたスピーカー装置はそれぞれスピーカーグリル６、６を有し、スピーカーグリル６、６はそれぞれスピーカー装置における内側に位置されている。
【０１１４】
スピーカーグリル６、６の外面側にはそれぞれ網目状のネット２４、２４が配置されている。ネット２４、２４によってスピーカーグリル６、６の保護やスピーカー装置への塵埃の侵入の抑制が図られている。
【０１１５】
ハウジング２３、２３の内面にはそれぞれ耳に宛がわれるイヤーパッド２５、２５が取り付けられている。イヤーパッド２５、２５は環状に形成され、内側の空間からスピーカーグリル６、６とネット２４、２４の少なくとも各一部が臨まれている。
【０１１６】
上記のように構成されたヘッドホン２０はイヤーパッド２５、２５がそれぞれ耳に宛がわれヘッドバンド２１が頭頂部に宛がわれて頭部に装着される。各スピーカー装置から出力される音声はスピーカーグリル６、６及びネット２４、２４を介して各耳に伝達される。
【０１１７】
このようにスピーカーグリル６がヘッドホン２０に用いられた場合においても、スピーカーグリル６が環状に形成された枠状部１１と非同心円形状に形成され少なくとも一部が曲線状に形成された桟部１２とを有するため、周波数特性において、特に、ディップが発生し難く、音声の良好な出力状態を確保することができる。
【０１１８】
＜本技術＞
本技術は、以下のような構成にすることができる。
【０１１９】
（１）
環状に形成された枠状部と、
前記枠状部の内側に位置され一部が前記枠状部に連続された桟部とを備え、
前記桟部は非同心円形状に形成されると共に少なくとも一部が曲線状の曲線部として形成された
スピーカーグリル。
【０１２０】
（２）
前記枠状部が円環状に形成された
前記（１）に記載のスピーカーグリル。
【０１２１】
（３）
前記桟部が前記枠状部の中心を基準にした点対称の形状に形成された
前記（２）に記載のスピーカーグリル。
【０１２２】
（４）
前記桟部には同一形状に形成された複数の同一形状部が設けられ、
前記複数の同一形状部が前記枠状部の周方向において連続して形成された
前記（１）から前記（３）の何れかに記載のスピーカーグリル。
【０１２３】
（５）
前記桟部が複数の前記曲線部のみによって構成された
前記（１）から前記（４）の何れかに記載のスピーカーグリル。
【０１２４】
（６）
前記桟部には前記枠状部の中央部から前記枠状部に近付くに従って曲率が小さくなる曲線状の複数の曲率変化部が前記枠状部の周方向において離隔して設けられた
前記（１）から前記（５）の何れかに記載のスピーカーグリル。
【０１２５】
（７）
前記桟部が前記複数の曲率変化部のみによって構成された
前記（６）に記載のスピーカーグリル。
【０１２６】
（８）
前記桟部の太さが前記枠状部の太さより細くされた
前記（１）から前記（７）の何れかに記載のスピーカーグリル。
【０１２７】
（９）
前記桟部の太さが一定にされた
前記（１）から前記（８）の何れかに記載のスピーカーグリル。
【０１２８】
（１０）
前記枠状部の中央部に前記桟部の一部として環状部が設けられた
前記（１）から前記（９）の何れかに記載のスピーカーグリル。
【０１２９】
（１１）
前記環状部が円環状に形成された
前記（１０）に記載のスピーカーグリル。
【０１３０】
（１２）
ガラスフィラーが含有された樹脂材料によって形成された
前記（１）から前記（１１）の何れかに記載のスピーカーグリル。
【０１３１】
（１３）
前記桟部から前記枠状部の軸方向における一方に突出され振動板の振動を抑制する抑制突部が設けられた
前記（１）から前記（１２）の何れかに記載のスピーカーグリル。
【０１３２】
（１４）
前記曲線部がフィボナッチ数列を適用した曲線状に形成され、
複数の前記曲線部が前記枠状部の周方向において離隔して設けられた
前記（１）から前記（１３）の何れかに記載のスピーカーグリル。
【０１３３】
（１５）
筐体として機能するフレームと、
音声の出力時に振動する振動板と、
前記振動板を振動させる磁気回路と、
前記フレームに取り付けられたスピーカーグリルとを備え、
前記スピーカーグリルには環状に形成された枠状部と前記枠状部の内側に位置され一部が前記枠状部に連続された桟部とが設けられ、
前記桟部は非同心円形状に形成されると共に少なくとも一部が曲線状の曲線部として形成された
スピーカー装置。
【符号の説明】
【０１３４】
１…スピーカー装置、２…フレーム、３…磁気回路、５…振動板、６…スピーカーグリル、１１…枠状部、１２…桟部、１３…環状部、１４…第１の曲線部、１５…第２の曲線部、１６…同一形状部、１８…抑制突部、６Ａ…スピーカーグリル、６Ｂ…スピーカーグリル、６Ｃ…スピーカーグリル、６Ｄ…スピーカーグリル、６Ｅ…スピーカーグリル、６Ｆ…スピーカーグリル、６Ｇ…スピーカーグリル
【図１】
2018042901.tif 000003
【図２】
2018042901.tif 000004
【図３】
2018042901.tif 000005
【図４】
2018042901.tif 000006
【図５】
2018042901.tif 000007
【図６】
2018042901.tif 000008
【図７】
2018042901.tif 000009
【図８】
2018042901.tif 000010
【図９】
2018042901.tif 000011
【図１０】
2018042901.tif 000012
【図１１】
2018042901.tif 000013
【図１２】
2018042901.tif 000014
【図１３】
2018042901.tif 000015
【図１４】
2018042901.tif 000016
【図１５】
2018042901.tif 000017
【図１６】
2018042901.tif 000018
【図１７】
2018042901.tif 000019
【図１８】
2018042901.tif 000020
【図１９】
2018042901.tif 000021
【図２０】
2018042901.tif 000022
【図２１】
2018042901.tif 000023
【図２２】
2018042901.tif 000024
【図２３】
2018042901.tif 000025
【図２４】
2018042901.tif 000026
【図２５】
2018042901.tif 000027
【図２６】
2018042901.tif 000028
【図２７】
2018042901.tif 000029
【図２８】
2018042901.tif 000030
【図２９】
2018042901.tif 000031
【図３０】
2018042901.tif 000032
【図３１】
2018042901.tif 000033
【図３２】
2018042901.tif 000034
【図３３】
2018042901.tif 000035
【図３４】
2018042901.tif 000036
【図３５】
2018042901.tif 000037
【図３６】
2018042901.tif 000038
【図３７】
2018042901.tif 000039
【図３８】
2018042901.tif 000040
【図３９】
2018042901.tif 000041
【図４０】
2018042901.tif 000042
【図４１】
2018042901.tif 000043
【図４２】
2018042901.tif 000044
【図４３】
2018042901.tif 000045
【図４４】
2018042901.tif 000046
【図４５】
2018042901.tif 000047
【国際調査報告】
2018042901.tif 000048
2018042901.tif 000049
2018042901.tif 000050